(57)【要約】【課題】  ３次元形状の背当てを有するザックでは、重量物を搭載しても形状が維持されるように、フレームを背当て部に配置するので、軽量化ができず使用者に疲労感を与える。また、フレームは背当ての形状が一義的に規定されるので、個人差の大きい使用者の肩甲骨回りの形状に合わず、フィット感が損なわれるという課題を有していた。【解決手段】  背当て本体部の接合部と肩当て部の接合部を各々曲線で構成して、背当て本体部の接合部の曲率を、肩当て部の接合部の曲率よりも大きくすることで３次元形状を形成する。接合部は連続したラウンドで形成し、少なくとも上部、中央部、下部の３つの領域に分割して、各々の部分で背当て本体部と肩当て部の曲率に差を持たせることで、背当てに任意の３次元形状を持たせる。【選択図】        図１
2006026245.tif 000002
【特許請求の範囲】
【請求項１】
少なくとも３次元形状の背当てを含む登山用ザック（１）であって、
前記背当て（２）は、少なくとも肩に対応する部分が取り除かれた背当て本体部（３）と、２つの肩当て部（４）とからなり、
前記背当て本体部（３）と前記２つの肩当て部（４）の各々の接合線（７）の下部を結ぶ線より上の背当て（２）が前方に傾斜し、かつ上部の背当ての側線（８）が前方に巻き込まれ、
前記背当て（２）と、バッグ本体（１０）がフレームを介さずに、直接固着されていることを特徴とする登山用ザック（１）。
【請求項２】
背当て本体部の接合部（５）と肩当て部の接合部（６）は各々曲線で構成され、前記背当て本体部の接合部（５）の曲率は、前記肩当て部の接合部（６）の曲率よりも大きいことを特徴とする請求項１の登山用ザック（１）。
【発明の詳細な説明】
【技術分野】
【０００１】
本発明は、３次元形状の背当てを有する登山用ザックにおいて、保形板を使用せずに背当て部の３次元形状を現出せしめ、フィット感を改善した登山用ザックに関する。
【背景技術】
【０００２】
従来、登山用ザックは、使用時のフィット感を確保するために、背当て部は上下、左右方向にラウンドが設けられ、３次元形状に形成される
【特許文献１】。
【特許文献２】特開平８−３３６４２１
【発明の開示】
【発明が解決しようとする課題】
【０００３】
ところで、３次元形状の背当てを有するザックでは、図４に示すように、重量物を搭載しても３次元形状が維持されるように、フレームを背当てに配置することが一般的である。フレームは型くずれがおきないように剛性を持たせる必要があり、重い。このため使用者に疲労感を与えるという課題を有していた。また、フレームでは背当て部の形状が一義的に規定されてしまうので、個人差の大きい使用者の肩甲骨回りの形状に合わず、フィット感が損なわれるという問題を有していた。
【０００４】
本発明は、かかる問題点を解決するために、フレームを使うことなく背当て部を３次元形状に保持すると共に、フィット感を改善した登山用ザックを提供することを目的とする。
【課題を解決するための手段】
【０００５】
本発明に係わる登山用ザックは、１つの局面では、３次元形状の背当てを含む登山用ザックであって、背当ては、少なくとも肩に対応する部分が取り除かれた背当て本体部と、２つの肩当て部とからなり、背当て本体部と２つの肩当て部の各々の接合線の下部を結ぶ線より上の背当てが前方に傾斜し、かつ上部の背当ての側線が前方に巻き込まれ、背当てと、バッグ本体がフレームを介さずに、直接固着されていることを特徴とする。固着とは、縫着や接着等の手段をいう。
【０００６】
また、背当て本体部の接合部と肩当て部の接合部は各々曲線で構成され、背当て本体部の接合部の曲率を、肩当て部の接合部の曲率よりも大きくすることで３次元形状を形成する。接合部は連続したラウンドで形成されるが、少なくとも上部、中央部、下部の３つの領域に分割して、各々の部分で背当て本体部と肩当て部の曲率に差を持たせることで、背当てに任意の３次元形状を持たせることができる。
【発明の効果】
【０００７】
フレームを用いることなく３次元形状を保持しているので、軽量化を図ることができる。フレームにより、形状が一義的に決められてしまわないので、個人差の大きい肩甲骨回りの形状に対する融通性が高くなり、フィット感を向上させることができる。
【発明を実施するための最良の形態】
【０００８】
以下、本発明の実施の形態について説明する。
【０００９】
本発明の登山用ザックは、少なくとも３次元形状の背当てを含む登山用ザック１であって、前記背当て２は、少なくとも肩に対応する部分が取り除かれた背当て本体部３と、２つの肩当て部４とからなり、前記背当て本体部３と前記２つの肩当て部４の各々の接合線７の下部を結ぶ線より上の背当て２が前方に傾斜し、かつ上部の背当ての側線８が前方に巻き込まれ、前記背当て２と、バッグ本体１０がフレームを介さずに、直接固着されていることを特徴とする登山用ザック１である。
【００１０】
背当て本体部３の材料は、厚さ０．５ｍｍ〜３．０ｍｍのポリエチレンやポリプロピレン等で形成される合成樹脂シートを、１００デニール〜５００デニールの糸の太さのナイロン、ポリエステル、綿などの織物生地で被覆し、肩当て部４の材料は、１００デニールから５００デニールの糸の太さのナイロン、ポリエステル、綿などの織物生地で構成すると良い。
【００１１】
また、よりフィット感を出すために背当て本体部３と肩当て部４に、伸縮性の無い生地を用いるか、多少の伸縮性を有する生地を用いて、各々の接合部に伸び止めステッチ加工を施す。そして各々の接合部を縫着することで、背当て２に３次元形状を持たせることができる。この構成では合成樹脂のプレートが無いのでよりフィット感を得ることができる。
【００１２】
背当て本体部の接合部５と肩当て部の接合部６は、背当ての上部に対応する位置から順に、上部、中央部、下部とし、各々の部位で背当て本体部３と肩当て部４の曲率を、肩当て部４の曲率の方が１０ｍｍ〜５０ｍｍ小さくすることで、背当て２に好ましい湾曲を得ることができる。
また、中央部のみを曲線とし、上部と下部は前記中央部から伸びる接線とで構成しても同様の効果を得ることができる。
【実施例１】
【００１３】
図１に、本発明の実施例１における登山用ザックを示す。肩掛けベルト等は省略した。登山用ザック１の背当て部は、下方から上方に向かうに従って肩当てが内側を向くようにラウンドを持つようにした。特に、背当て部から上方の曲率を小さくして、背負ったときに肩に覆い被さるようにした。また、上部の左右端も前方に向けてラウンドを持つようにしたので、肩全体に荷重がかかるようになり、フィット感が改善され長時間背負った時の疲労感を軽減できる。
【００１４】
さらに、背当て部にクッション材を配置することで、よりフィット感が改善される。本実施例では、３０ｍｍの発泡ポリウレタンのクッション材を内層に配置した。なお、本実施例では背当て本体部３は２１０デニールのナイロン製織物生地で厚さ１ｍｍのポリエチレンシートを包んだ材料を、肩当て部４は２１０デニールのナイロン製織物生地を使用した。
【００１５】
図２は、本発明の背当て本体部３と肩当て部４の接合部の曲率を示す。接合部は各々３つの曲率で構成され、背当て本体部の接合部５の曲率を上部からｒ１，ｒ２，ｒ３、肩当て部の接合部６の曲率を上部からＲ１，Ｒ２，Ｒ３としたとき、本実施例では、ｒ１＝３００ｍｍ，ｒ２＝１３０ｍｍ，ｒ３＝１８０ｍｍ、肩当て部では、Ｒ１＝２５０ｍｍ，Ｒ２＝１２０ｍｍ，Ｒ３＝１３０ｍｍとした。
【００１６】
図３は、本発明の登山用ザックの背当て２を上下方向に切断した断面図である。形状が一義的に固定されるフレームを使用していないので、個人差の大きい肩甲骨から肩にかけて、クッション材１１が変形して背当て２が面としてあたるので、すれが少なくなり疲労感を軽減することができる。最外部に通気性の良いメッシュ状の織物１３を、その内側にポリエチレン製のシート１４を、さらにクッション材１１を積層して背当て２とし、ザック本体の布地１６と縫着部１５を介して固着した。
【００１７】
図４は、従来の登山用ザックを上下方向に切断した断面図である。クッション材１１を装着しているが、最外部に形状が一義的に決まるフレームが配置されており、フィット感が損なわれる。
【産業上の利用可能性】
【００１８】
本発明は、登山用ザックに広く適用される。
【図面の簡単な説明】
【００１９】
【図１】本発明の登山用ザックの実施例１である。
【図２】本発明の登山用ザックの背当て部である。
【図３】本発明の登山用ザックの背当て部断面図である。
【図４】従来の登山用ザックの背当て部断面図である。
【符号の説明】
【００２０】
１  登山用ザック、２  背当て、３  背当て本体部、４  肩当て部、５  背当て本体部の接合部、６  肩当て部の接合部、７  接合線、８  側線、１０  バック本体、１１  クッション材、１２  フレーム  １３  織物、１４  シート、１５  縫着部、１６  ザック本体の布地
【図１】
2006026245.tif 000003
【図２】
2006026245.tif 000004
【図３】
2006026245.tif 000005
【図４】
2006026245.tif 000006